(57)【特許請求の範囲】
【請求項１】
可変抵抗器の抵抗値を変化させることにより打球発射装置の電気的駆動源に供給する電力を制御して飛距離の調整を行う電動式パチンコ機の打球発射操作用のハンドル装置であって、
パチンコ機の前枠に止着したグリップ本体と、
このグリップ本体の前面側に回動自在に位置する回転操作体と、
この回転操作体の前面側に位置すると共に上記グリップ本体に対して固定状の前カバーと、からなり、
打球発射装置の作動を停止するためにグリップ本体内に設けたストップスイッチと、上記飛距離の調整を行うために内蔵した可変抵抗器と、を備え、
上記回転操作体の外周面には複数の指掛け部を非対称に設け、上記グリップ本体には可変抵抗器を上記回転操作体に連動させて設けると共に、付勢手段によって上記可変抵抗器の抵抗値を最大にする方向に付勢するように構成し、
上記回転操作体を付勢手段に抗して回動操作することにより、上記ストップスイッチを閉成すると共に上記可変抵抗器の抵抗値を変化させて、打球の発射を開始すると共に飛距離を調整し、
上記可変抵抗器が所定の抵抗値となる位置において、回転操作体の回動位置を保持する係止手段を設けたことを特徴とするパチンコ機のハンドル装置。
【請求項２】
上記係止手段を、回転操作体が未回動のときに上記ストップスイッチが開成するように作用して打球の発射を停止させる回転操作部に設けた押圧部と、グリップ本体に設けた係止突部とが弾性的に係止するように構成した請求項１に記載のパチンコ機のハンドル装置。
【発明の詳細な説明】
【０００１】
【産業上の利用分野】
この発明は、パチンコ球に打撃力を与える発射杵を電気的駆動源により駆動するようにしたパチンコ機のハンドル装置に関し、特に、遊技内容に応じて打ち分けの容易なパチンコ機のハンドル装置に関するものである。
【０００２】
【従来の技術】
周知のように、パチンコ機においてパチンコ球に打撃力を与える発射杵の駆動源としてソレノイドやモータ等の電気的駆動源を用いた打球発射装置は種々開発されており、この種の打球発射装置における飛距離の調整方法として、駆動源に供給する電力を制御して行うものがある。そして、上記電力の制御には可変抵抗器が用いられ、この可変抵抗器の抵抗値をパチンコ機の前面側に設けたダイヤルやレバーの操作によって変化させている。
一方、遊技によっては、特定の遊技状態が発生した場合に、飛距離が最大になるように、即ち可変抵抗器の抵抗値を回動範囲内で最小にするためにダイヤルやレバーを右側一杯に回動させて発射した方がゲ−ムを有利に展開可能なパチンコ機がある。
【０００３】
【発明が解決しようとする課題】
しかしながら、従来の可変抵抗器を用いたハンドル装置では、飛距離を一定に保つためには、ダイヤルやレバーの位置が変わらないように固定しておかなければならなかった。即ち、ダイヤルやレバーが原点に戻らないようにバネ等の付勢力に抗して所望の位置に保持していなければならなかった。このため、上記したように、飛距離を最大にして固定する場合に、手首などに負担が掛かるために疲れ易く、遊技者に不快感を与えているのが現状である。
また、飛距離を最大に設定した状態で所謂止め打ちを行う場合には、従来のハンドル装置では、ストップボタンの位置が構造上、親指から遠い位置になってしまうので、操作性の点でも問題があった。
本発明は上記に鑑み提案されたもので、所望の飛距離に設定した状態に固定可能であると共に、操作性の良好なパチンコ機のハンドル装置を提供することを目的とする。
【０００４】
【課題を解決するための手段】
上記目的を達成するため本発明は、可変抵抗器の抵抗値を変化させることにより打球発射装置の電気的駆動源に供給する電力を制御して飛距離の調整を行う電動式パチンコ機の打球発射操作用のハンドル装置であって、パチンコ機の前枠に止着したグリップ本体と、このグリップ本体の前面側に回動自在に位置する回転操作体と、この回転操作体の前面側に位置すると共に上記グリップ本体に対して固定状の前カバーと、からなり、打球発射装置の作動を停止するためにグリップ本体内に設けたストップスイッチと、上記飛距離の調整を行うために内蔵した可変抵抗器と、を備え、上記回転操作体の外周面には複数の指掛け部を非対称に設け、上記グリップ本体には可変抵抗器を上記回転操作体に連動させて設けると共に、付勢手段によって上記可変抵抗器の抵抗値を最大にする方向に付勢するように構成し、上記回転操作体を付勢手段に抗して回動操作することにより、上記ストップスイッチを閉成すると共に上記可変抵抗器の抵抗値を変化させて、打球の発射を開始すると共に飛距離を調整し、上記可変抵抗器が所定の抵抗値となる位置において、回転操作体の回動位置を保持する係止手段を設けたものである。
【０００５】
【作用】
回転操作体の外周面に非対称に設けた複数の指掛け部に遊技者の指が自然に掛止し、この掛止した指により回転操作体を回動させると、回転操作体の回転に伴って内蔵した可変抵抗器の抵抗値が変化し、飛距離の調整が可能となる。また、回転操作体を更に回動させると飛距離が大きくになると共に、係止手段が係止して、回転操作体の戻り回動を阻止し、所定の飛距離を維持する。
【０００６】
【実施例】
以下、本発明を図面の実施例について説明すると、図１はパチンコ機１の正面図であって、窓部を有した額縁状前枠２の一側を外枠３に開閉可能に蝶着し、上記窓部には金枠４を設けて、該金枠４の上方部分にはガラスを装着したガラス枠５を開閉可能に軸着し、下方部分には上皿６を設けた上皿セット７を設ける。また、前枠２の下方部分には下皿８を設けた下皿セット９を設ける。そして、ガイドレール１０で囲まれる遊技部１１に、特別図柄表示装置１２や、この特別図柄表示装置１２の変動表示を開始する始動口１３及び当該始動口として機能する普通電動役物１４、また大入賞口１５を有する変動入賞装置１６、その他各種の入賞口１７…、風車１８…、或は各種の表示灯１９…等を配設し、また最下位置にアウト口２０を配設した遊技盤２１を、上記窓部の後方からこの窓部を塞ぐように臨ませる。また、上記下皿セット９の前面側には遊技部１１に打ち込む打球の飛距離を調整するための打球発射操作用のハンドル装置２２が設けてある。
【０００７】
上記打球発射操作用のハンドル装置２２の概略は、全体としてほゞ半球形となるように三つの部材からなり、前枠２の下方部分の前面側に取り付けるグリップ本体２３と、該グリップ本体２３の前面側に取着する回転操作体２４と、該回転操作体２４の前面側に取着する前カバー２５とからなる。
【０００８】
上記グリップ本体２３は、ほゞ円形の底板部２６の周囲に立上り縁部２７を延設した皿状で、該底板部２６の後方には筒状の支持部２８を偏心位置に延設する。この支持部２８の内側には上記底板部２６のほゞ中心に位置するように固定部２９を設け、該固定部２９は後端に雌ネジ部３０を有すると共に、回転操作体２４の回動支軸となる金属製の支軸部材３１をインサート成型してなる。また、上記支持部２８の内部には、底板部２６の表面から後方へ向けて突出するリブ３２を隆設すると共に、一部に配線用の通孔３３を開設する。このリブ３２は図示の実施例によれば、やや下方へ偏心した位置にほゞＴ字状に配置してある。また、上記立上り縁部２７の外面には適宜間隔且つ適宜大きさの指掛け凹部（図示せず）を設けてある。
【０００９】
一方、グリップ本体２３の前面側においては、上記した立上り縁部２７の端面に係合縁２７ａを形成し、図６に示すように適宜位置に、止着孔３４′を有する３本の柱状台座３４ａ，３４ｂ，３４ｃや可変抵抗器３５の取付ボス２６ａ、後述するストップスイッチ３６となるマイクロスイッチの取付枠３７、操作ボタン３８の支軸３９等を一体成型により設ける。上記飛距離調整用の可変抵抗器３５は、金属製の取付基板４０を介して取付ビス４１により底板部２６の取付ボス２６ａに固定する。尚、可変抵抗器３５の取付基板４０に対する止着は、後述する回動軸４２の軸受筒部４３にナット４４を螺着して可変抵抗器本体とナット４４との間に取付基板４０を挟着することにより行われ、この際、取付基板４０に設けた小孔４０ａに可変抵抗器本体に設けた突起３５ａを嵌合させて位置決めを行っている。
【００１０】
また、上記柱状台座３４の一つである第１の柱状台座３４ａは、後述する係止手段の一方を構成するように、一部を立上り縁部２７の方向に向けて膨出させて係止突部３４Ａが形成してある。尚、各台座３４…は、夫々他の部材の邪魔にならないように、適宜な形状にカットしてある。
【００１１】
そして、上記可変抵抗器３５の回動軸４２に従動ギヤ４５を嵌装し、この従動ギヤ４５に後述する主動ギヤ４６を噛合させる。上記従動ギヤ４５は、大円部４５ａと小円部４５ｂとが連続するほゞ「８」字状の部材であって、大円部４５ａの外周面の一部に歯部を刻設してなる。また、小円部４５ｂにはストッパピン４７を植設し、取付基板４０から立上げたストッパ片４８に係止可能とする。そして、上記回動軸４２には付勢手段を構成するバネ４９を巻装し、このバネ４９の一端を取付基板４０の係止孔４０ｂに挿入すると共に、他端を従動ギヤ４５のくびれ部分４５ｃに係止させて、可変抵抗器３５の回動軸４２を飛距離が小さくなる方向へ付勢する。尚、上記回動軸４２及びギヤ４６の軸孔は回り止めのためにＤ字状に形成してあり、回動軸４２の前端部には止め輪５０を嵌着して従動ギヤ４５の抜けを防止する。
【００１２】
グリップ本体２３の立上り縁部２７には欠截部５１を設け、該欠截部５１から打球の発射を停止するストップスイッチ３６の操作ボタン３８を外部操作可能に臨ませる。即ち、この操作ボタン３８は、一端を支軸３９に遊嵌すると共に、他端の側面３８ａをストップスイッチ３６の作動片５２に臨ませ、他端に延設した操作部３８ｂを上記欠截部５１から突出させるのである。
【００１３】
上記のようなグリップ本体２３の前面側に取着する回転操作体２４は、円盤状の基板部５３の周縁に前端側が若干縮径する周壁部５４を延設し、この周壁部５４に複数の指掛け部５５…を突設した部材であって、表面には導電性処理が施してある。上記指掛け部５５は、図示の実施例によれば、非対称に３箇所に設けてあり、スクリューのように一方の斜面が他方の斜面に比べて鋭角に形成されると共に、各指掛け部５５の陵線が螺旋を描くように傾斜状に配置されている。また、例えば図２または図７（Ａ）に示すように、正面から見て回転操作体２４の左側に位置し、右手で操作する場合に親指或は人指し指を掛ける第１指掛け部５５ａが大きく、中央に位置し、中指或は薬指を掛ける第２指掛け部５５ｂが中くらいの大きさで、左側に位置し、小指を掛ける第３指掛け部５５ｃが第２指掛け部５５ｂより若干小さく形成してある。更に、各指掛け部５５の斜面は指が掛かり易くなると共に、他の指の邪魔にならないように工夫された形状になっている。上記周壁部５４のグリップ本体２３側の端縁には、グリップ本体２３の係合縁２７ａに嵌合可能な係止縁５４ａを設けると共に前カバー２５側の端縁には係合段部５４ｂを設ける。
【００１４】
一方、回転操作体２４の内部に設けた基板部５３の中央には導電性を有する例えば金属製の軸受部材５６を止着すると共に、上記従動ギヤ４５に噛合する主動ギヤ４６を止着する。上記軸受部材５６は前記したグリップ本体２３に設けた支軸部材３１を挿通可能な軸孔５６ａを有するスリーブ５６ｂとフランジ５６ｃとからなる。尚、図示の実施例によれば、軸受部材５６のフランジ５６ｃと主動ギヤ４６とで基板部５３を挟み込み、主動ギヤ４６に通したビス５７を軸受部材５６のフランジ５６ｃに螺着している。
【００１５】
また、回転操作体２４の基板部５３には外周縁に沿って円弧状の長孔５８を複数、例えば３箇所に開設し、これらの長孔５８を通して後述する前カバー２５の各支柱５９を前記したグリップ本体２３の各柱状台座３４に夫々取り付け可能とする。尚、上記長孔５８と支柱５９とで当該回転操作体２４の回動範囲を規制し、回動時に可変抵抗器３５に無理な回転負荷が加わらないようにすることもできる。
【００１６】
更に、回転操作体２４の内周部には、前記した操作ボタン３８に作用すると共に、後述する係止手段を構成する押圧部７２を突設する。尚、この押圧部７２は、図示の実施例によれば、ほゞ台形状に突設してあり、内部には空部７２ａが形成してある（図７（Ｂ）参照）。
【００１７】
一方、上記のような回転操作体２４の前面側に取着する前カバー２５は、山笠状に膨出させてなり、外周縁には周壁部５４の係合段部５４ｂに嵌合可能な係止段部２５ｂが設けてある。尚、図示の実施例においては、外周面の一部に装飾部材６０を添設して全体として山笠状に形成してある。
【００１８】
上記のような各部材を組立てハンドル装置２２を構成するには、まず、グリップ本体２３の支軸部材３１に回転操作体２４の軸受部材５６を挿通すると共に、従動ギヤ４５と主動ギヤ４６とを噛合させる。この噛合状態は基板部５３に開設した透孔６１を通して確認することができる。従動ギヤ４５は図３に示すように主動ギヤ４６の右横に位置するようにした方が良い。これは前述したようにハンドル装置２２を上方へ持ち上げるようにして前枠２を開放しても、可変抵抗器３５に無理な力が作用しないようにするためである。そして、前カバー２５の各支柱５９を基板部５３の各長孔５８に通し、グリップ本体２３の裏面側からビス６２を各支柱５９にネジ込んで三者を一体化する。このとき、グリップ本体２３の係合縁２７ａと回転操作体２４の係止縁５４ａとが係合すると共に、回転操作体２４の係合段部５４ｂと前カバー２５の係止段部２５ｂとが係合し、回転操作体２４がグリップ本体２３及び前カバー２５に対して回動自在となる。
【００１９】
一方、上記のようにして組立の終了したハンドル装置２２を前枠２に取り付けるには、前枠２の前面側に予めベース板６３を添設し、このベース板６３にはグリップ本体２３の支持部２８内に嵌入可能な嵌入部６４を突設する。この嵌入部６４には、支持部２８の固定部２９を避けるように形成した挿通部６５を切り欠くと共に、側周面の適宜位置に突出片６６を形成して支持部２８との嵌合の精度を上げている。また、上記嵌入部６４の前端面には、支持部２８内に設けたリブ３２の間に嵌入するストッパー部材６７を延設し、このストッパー部材６７の上面及び側面を支持部２８内のリブ３２に当接させることにより、当該ハンドル装置２２の回り止め兼位置決めを行う。そして、前枠２に開設した貫通孔６８及びベース板６３に開設した止着孔６３′に固定ビス６９を背面側から通して、グリップ本体２３の固定部２９に設けた支軸部材３１の雌ネジ部３０に螺着する。尚、可変抵抗器３５のリード線７０，７０やストップスイッチ３６のリード線７１ａ，７１ｂはグリップ本体２３に設けた通孔３３から前枠２の背面側へ引きだして適宜接続する。また、支軸部材３１に固定ビス６９を螺着する際にタッチ回路の配線を接続する。尚、この実施例ではストップスイッチ３６の一方のリード線７１ｂを支軸部材３１に導通させてタッチ回路を形成している。
【００２０】
このようにしてハンドル装置２２を前枠２に取り付けると、前枠２の前面からは固定ビス６９や他のビス６２を外すことが不可能で、遊技者が不正を働くことができない。しかも、各部材の間に隙間が生じないので、針金等の挿入行為も不可能であり、不正遊技に対する対策も万全である。
【００２１】
上記のように構成したハンドル装置２２により打球を発射したり、飛距離を調整するには以下のように操作すればよい。
【００２２】
即ち、遊技者がハンドル装置２２に触れていない非遊技状態では、タッチセンサが作動していないので、打球発射装置が停止している。また、回転操作体２４が可変抵抗器３５の回動軸４２に巻装したバネ４９により付勢されて戻り回動している。このため、ストッパピン４７とストッパ片４８とが係止し、回転操作体２４の内側縁に突設した押圧部７２が操作ボタン３８のカム部３８ｃに作用して、操作ボタン３８が支軸３９を支点に回動し、当該操作ボタン３８がストップスイッチ３６の作動片５２を押し込んで、ストップスイッチ３６をオフにして打球の発射を停止している（図９参照）。尚、遊技中に、上記操作ボタン３８を遊技者が押し込むと打球の発射を任意に停止させることができ、この機能を利用して、所謂止め打ち或は単発打ちを行うことができる。
【００２３】
一方、遊技者が回転操作体２４に触れると、回転操作体２４と支軸部材３１とは軸受部材５６を介して導通状態となっているので、支軸部材３１に接続したタッチセンサが作動して打球の発射が可能になる。そこで、遊技者が指掛け部５５に指を掛けて回転操作体２４を回動させると、押圧部７２による操作ボタン３８に対する押圧作用が解除されるので、ストップスイッチ３６の作動片５２が突出して当該ストップスイッチ３６が閉成されて打球発射装置が稼動する。そして、回転操作体２４は、所定の範囲で回動自在であるので、この回転操作体２４の回動に伴って可変抵抗器３５の抵抗値が変化し、飛距離の調整が可能となる。このように飛距離の調整が可能な範囲は、例えば図４に破線で示した押圧部７２が、第１の柱状台座３４ａと操作ボタン３８との間に位置する範囲となる。
【００２４】
一方、特定の遊技状態が発生して飛距離を最大に設定する場合には、可変抵抗器３５の抵抗値が所定の値、例えば回動範囲内で最小となるように、回転操作体２４を図において目一杯右回り（時計回り）に回動させる。すると、係止手段を構成する押圧部７２が、第１の柱状台座３４ａに形成した係止突部３４Ａに当接する（図１１（Ａ））。尚、図１１は、図１０におけるＡ部分の詳細である。
【００２５】
ここで、回転操作体２４に更に力を加えて回動させると、図１１（Ｂ）に示すように、押圧部７２と台座３４ａとが互いに干渉して弾性変形を起こし、押圧部７２が係止突部３４Ａを乗り越えて、当該係止突部３４Ａの先端に押圧部７２の側面が係止する（図１１（Ｃ））。この状態で回転操作体２４に加える力を抜いても、即ち手を離しても、付勢手段の付勢力には押圧部７２或は係止突部３４Ａを弾性変形させてまで回転操作体２４を戻り回動させる力がないので、係止状態が維持される。従って、飛距離を最大に保って打球の発射を続けるには、ハンドル装置２２に軽く手を触れていればよく、付勢手段の付勢力に抗して回転操作体２４を回動させておく必要がないので疲れることがない。
【００２６】
一方、飛距離を通常の遊技状態に戻すには、上記とは逆に、回転操作体２４を左回り（反時計回り）に回せばよい。このとき、第１の柱状台座３４ａを押圧部７２が乗り越えるときに、若干の抵抗があるが、この抵抗に打ち勝って回せばよい。
【００２７】
図１２ないし図１４は、本発明に係るハンドル装置２２の他の実施例を示し、図１２（Ａ）は正面図、（Ｂ）は側面図、（Ｃ）は縦断面図、図１３は組立斜視図、図１４は動作説明図である。
【００２８】
この実施例によるハンドル装置２２は、回転操作体２４の形状が異ると共に、操作ボタン３８の位置が若干異っている。また、内部においては柱状台座３４…の配置等が若干異っているが、収設する機構及び機能は上記した実施例と同様なので、同じ符号を付して説明を省略する。
【００２９】
この実施例による回転操作体２４には、丸みをおびた指掛け部５５…が形成してある。また、この回転操作体２４では、指掛け部５５と外周面との間に溝部８１を形成し、この溝部８１の中に前カバー２５の周縁２５ａが嵌入するように構成してある。このため、この実施例によれば、前カバー２５と回転操作体２４との間の隙間が外部に露出しないので、悪戯や不正遊技の防止により一層効果的である。
【００３０】
一方、この実施例においては、操作ボタン３８がほゞ横位置に形成してあるので図１４（Ｃ）に示すように、飛距離を最大に保持した状態で、手首をひねることなく親指によって操作可能である。従って、飛距離を最大に設定する特定の遊技状態においても、止め打ち或は単発打ちが容易に行え、操作性が極めて良好である。
【００３１】
また、この実施例によっても、回転操作体２４の指掛け部に５５に自然に指が掛かり、図１４（Ｂ）の通常遊技状態では、飛距離の調整が容易である。一方、（Ｃ）に示すように、押圧部７２と係止突部３４Ａとを係止させたロック状態では、飛距離を最大に設定する全開右打ち状態となる。尚、（Ｃ）のＡ部分の詳細は前記した実施例の図１１と同様である。
【００３２】
上記のような構成のハンドル装置２２によれば、飛距離を最大に設定する際に、一旦押圧部７２と第１の柱状台座３４ａとを係止させると、回転操作体２４が戻り回動しなくなるので、回転操作体２４を付勢手段の付勢に抗して押えておく必要がない。従って、長時間遊技しても疲れることがない。
【００３３】
以上本発明を図面の実施例について説明したが、本発明は上記した各実施例に限定されるものではなく、特許請求の範囲に記載した構成を変更しない限り適宜に実施できる。例えば、可変抵抗器と回転操作体とが直結状態で連動していてもよい。また、実施例では、飛距離が最大になるような所定の抵抗値の位置で係止手段が係止するように設定してあるが、打球が内側のガイドレールを越えてファールにならない程度の飛距離となる抵抗値のときに、係止手段が係止するように設定することもできる。このように設定すれば、無駄球の発射を防止することができると共に、有効な発射球となる範囲内で飛距離の調整が可能になって、遊技者は長時間遊技しても疲れないばかりではなく、遊技に集中することができる。
【００３４】
【発明の効果】
以上要するに本発明によれば、ハンドル装置に手を載せた際に、指が自然に回転操作体の指掛け部及びストップボタンに掛かるようになると共に、手のひら全体でハンドル装置を包む込むことができ、しかも飛距離を所望の状態で維持することができるので、長時間遊技しても疲れることがない。従って、遊技者に不快感を与えることのない操作性のよいハンドル装置を提供することができる。また、本発明は、外観の変更や特別な部品を必要とすることなく、従来のハンドル装置に簡単な変更を加えることにより実現可能であって、コストの上昇を招くことがなく、実用的価値が極めて高いものである。
【図面の簡単な説明】
【図１】パチンコ機の正面図である。
【図２】ハンドル装置の正面図である。
【図３】回転操作体を外した状態のハンドル装置の正面図である。
【図４】図３のＡ−Ａ線断面図である。
【図５】図３のＢ−Ｂ線断面図である。
【図６】グリップ本体の正面図である。
【図７】回転操作体を示し、（Ａ）は正面図、（Ｂ）は背面図である。
【図８】ハンドル装置の取付部を示し、（Ａ）は正面図、（Ｂ）は斜視図である。
【図９】操作ボタンとストップスイッチ及び押圧部の関係を示す拡大説明図である。
【図１０】飛距離を最大に設定した状態の回転操作体とグリップ本体の関係を示す説明図である。
【図１１】図１０のＡ部分の拡大図であって、（Ａ）は押圧部と柱状台座との当接状態、（Ｂ）は干渉状態、（Ｃ）は係止状態を夫々示す。
【図１２】本発明の他の実施例に係るハンドル装置を示し、（Ａ）は正面図、（Ｂ）は側面図、（Ｃ）は縦断面図である。
【図１３】本発明の他の実施例によるハンドル装置の組立斜視図である。
【図１４】本発明の他の実施例によるハンドル装置の動作説明図であって、（Ａ）は非遊技状態、（Ｂ）は通常遊技状態、（Ｃ）は最大飛距離にロックした状態を示す。
【符号の説明】
１  パチンコ機
２  前枠
３  外枠
２２  ハンドル装置
２３  グリップ本体
２４  回転操作体
２６  底板部
２８  支持部
３１  支軸部材
３４  柱状台座
３４Ａ  係止突部
３５  可変抵抗器
３６  ストップスイッチ
４２  回動軸
４５  従動ギヤ
４６  主動ギヤ
５５  指掛け部
７２  押圧部
【図１】
0003579126.tif 000002
【図２】
0003579126.tif 000003
【図３】
0003579126.tif 000004
【図４】
0003579126.tif 000005
【図５】
0003579126.tif 000006
【図６】
0003579126.tif 000007
【図７】
0003579126.tif 000008
【図８】
0003579126.tif 000009
【図９】
0003579126.tif 000010
【図１０】
0003579126.tif 000011
【図１１】
0003579126.tif 000012
【図１２】
0003579126.tif 000013
【図１３】
0003579126.tif 000014
【図１４】
0003579126.tif 000015